(57)【特許請求の範囲】
【請求項１】
耳管と、耳脚と、対耳珠とからなる使用者の外耳に装着するのに適した耳成型品であって、該耳成型品が２路通話システムに用いるための通話手段を保持するようになっている、その耳成型品において、
（ａ）使用者の外耳の中で適合する形状になった成型品であって、該成型品が第１側面と、第１曲部と、底部部分と、第２曲部と、第２側面とを有し、該成型品の中で該底部部分が該第１曲部によって該第１側面と連結され、また、該成型品の中で、該第２側面が該第２曲部によって該底部部分と連結されている、その成型品と、
（ｂ）前記第１側面の中へ挿入される伝達装置を受留めるようになった、該第１側面におけるキャビティーと、
（ｃ）使用者の耳の中で前記成型品を所定位置に保持するために前記第２側面から延在した第１突起であって、使用者の耳の中の所定位置に該成型品を保持することが、該第１突起を使用者の外耳の中に、また使用者の外耳の耳輪の耳脚の下に位置させることによって達成される、その第１突起と、
（ｄ）取り付け端部と非取り付け端部とからなる第２突起であって、該第２突起の該取り付け端部が前記成型品の前記第２側面に連結され、該非取り付け端部が使用者の耳管の入口に挿入するようになっている、その第２突起とを具備し、
前記耳成型品が可撓性材料からなっており、前記第２突起が使用者の耳管とほぼ同じ寸法であり、前記第１側面から該第２突起の側面にかけて通気溝が設けられ耳管が密封されないようになっていることを特徴とする耳成型品。
【請求項２】
耳管と、耳脚と、対耳珠とからなる使用者の外耳に装着するのに適した耳成型品であって、該耳成型品が２路通話システムに用いるための通話手段を保持するようになっている、その耳成型品において、さらに
（ｅ）前記伝達装置を前記成型品の第１側面におけるキャビティーの中に位置付けするための、該第１側面上、かつ前記第１突起の下方に位置された整列用マークを具備している、請求の範囲第１項に記載された耳成型品。
【請求項３】
耳管と、耳脚と、対耳珠とからなる使用者の外耳に装着するのに適した耳成型品であって、該耳成型品が２路通話システムに用いるための通話手段を保持するようになっている、その耳成型品において、前記成型品がプラスチック材料でできており、該成型品が使用者の快適性を増すために、前記第１側面において単に滑らかな曲面を有している、請求の範囲第１項に記載された耳成型品。
【請求項４】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起がさらに前記第２側面における該第２突起の前記非取り付け端部から前記第１側面へ向かって延在した耳管通気孔を有しており、該通気孔が使用者の内耳と使用者の外耳との間で空気圧を均等化するための孔である、請求の範囲第１項に記載された耳成型品。
【請求項５】
耳管と、耳脚と、対耳珠とからなる使用者の外耳に装着するのに適した耳成型品であって、該耳成型品が２路通話システムに用いるための通話手段を保持するようになっている、その耳成型品において、さらに、
（ｇ）第１出口と第２出口を有する音声孔であって、該音声孔の該第１出口が前記第２突起の非取り付け端部と一致するものであって、該音声孔の該第２出口が前記キャビティーの内部にあり、該音声孔が音声を該キャビティーから使用者の耳管へ伝達するための道筋になっており、また該音声孔が前記第１側面と第２側面との間を空気が流れるための孔である、その音声孔を具備している、請求の範囲第１項に記載された耳成型品。
【請求項６】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起がさらに、
（ｈ）外面と、
（ｉ）使用者の耳の中で空気的なシールが形成されることを防ぐために、前記第２突起の前記外面に沿って延在した耳管通気溝とを具備している、請求の範囲第１項に記載された耳成型品。
【請求項７】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起におけるその取り付け端部から非取り付け端部までの長さが６ｍｍあるいはそれ以下になっている、請求の範囲第１項に記載された耳成型品。
【請求項８】
耳管と、耳脚と、対耳珠とからなる使用者の外耳に装着するのに適した耳成型品であって、該耳成型品が２路通話システムに用いるための通話手段を保持するようになっている、その耳成型品において、さらに、
（ｊ）第１出口と第２出口を有する音声孔であって、該音声孔の該第１出口が前記第２突起の非取り付け端部と一致するものであって、該音声孔の該第２出口が前記キャビティーの内部にあり、該音声孔が音声を該キャビティーから使用者の耳管へ伝達するための道筋になっており、また該音声孔が前記第１側面と第２側面との間を空気が流れるための孔である、その音声孔を具備している、請求の範囲第１項に記載された耳成型品。
【請求項９】
耳管と、耳脚と、対耳珠とからなる使用者の外耳に装着するのに適した耳成型品であって、該耳成型品が２路通話システムに用いるための通話手段を保持するようになっている、その耳成型品において、
（ａ）使用者の外耳の中で適合する形状になった成型品であって、該成型品が第１側面と、第１曲部と、底部部分と、第２曲部と、第２側面とを有し、該成型品の中で該底部部分が該第１曲部によって該第１側面と連結され、また、該成型品の中で、該第２側面が該第２曲部によって該底部部分と連結されている、その成型品と、
（ｂ）前記成型品の第１側面に位置した取り付け装置であって、該取り付け装置が全体的に円形形状を有し、通話手段を該成型品に取り付けるようになったリッヂを有し、また該取り付け装置が通話手段を保持することができる、その取り付け装置と、
（ｃ）使用者の耳の中で前記成型品を所定位置に保持するために前記第２側面から延在した第１突起であって、使用者の耳の中の所定位置に該成型品を保持することが、該第１突起を使用者の外耳の中に、また使用者の外耳の耳輪の耳脚の下に位置させることによって達成される、その第１突起と、
（ｄ）取り付け端部と非取り付け端部とからなる第２突起であって、該第２突起の該取り付け端部が前記成型品の前記第２側面に連結され、該非取り付け端部が使用者の耳管の入口に挿入するようになっている、その第２突起とを具備し、
前記耳成型品が可撓性材料からなっており、前記第２突起が使用者の耳管とほぼ同じ寸法であり、前記第１側面から該第２突起の側面にかけて通気溝が設けられ耳管が密封されないようになっていることを特徴とする耳成型品。
【請求項１０】
耳管と、耳脚と、対耳珠とからなる使用者の外耳に装着するのに適した耳成型品であって、該耳成型品が２路通話システムに用いるための通話手段を保持するようになっている、その耳成型品において、さらに
（ｅ）前記伝達装置を前記成型品の第１側面におけるキャビティーの中に位置付けするための、該第１側面上、かつ前記第１突起の下方に位置された整列用マークを具備している、請求の範囲第９項に記載された耳成型品。
【請求項１１】
耳管と、耳脚と、対耳珠とからなる使用者の外耳に装着するのに適した耳成型品であって、該耳成型品が２路通話システムに用いるための通話手段を保持するようになっている、その耳成型品において、前記成型品が柔軟で、可撓性がある、請求の範囲第９項に記載された耳成型品。
【請求項１２】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起がさらに前記第２側面における該第２突起の前記非取り付け端部から前記第１側面へ向かって延在した耳管通気孔を有している、請求の範囲第９項に記載された耳成型品。
【請求項１３】
耳管と、耳脚と、対耳珠とからなる使用者の外耳に装着するのに適した耳成型品であって、該耳成型品が２路通話システムに用いるための通話手段を保持するようになっている、その耳成型品において、音声を前記取り付け装置から使用者の耳管へ伝達するための溝を提供するために、前記第２突起を通して、前記成型品の前記第１側面に位置した前記取り付け装置から延在した音声孔を具備している、請求の範囲第９項に記載された耳成型品。
【請求項１４】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起がさらに、外面と、使用者の耳の中の空気的なシールを防ぐために、前記第２突起の前記外面に沿って延在した耳管通気溝とを具備している、請求の範囲第９項に記載された耳成型品。
【請求項１５】
耳管と、耳脚と、対耳珠とからなる使用者の外耳に装着するのに適した耳成型品であって、該耳成型品が２路通話システムに用いるための通話手段を保持するようになっている、その耳成型品において、前記第２突起におけるその取り付け端部から非取り付け端部までの長さが６ｍｍあるいはそれ以下になっている、請求の範囲第９項に記載された耳成型品。
【請求項１６】
耳管と、耳脚と、対耳珠とからなる使用者の外耳に装着するのに適した耳成型品であって、該耳成型品が２路通話システムに用いるための通話手段を保持するようになっている、その耳成型品において、さらに、
（ｆ）前記第１側面における取り付け装置の近傍から、前記成型品を通って、前記第２側面へ延在した音声孔であって、該音声孔が音声を該取り付け装置から使用者の耳管へ伝達するための道筋を提供し、該音声孔が該第１側面から第２側面へ空気を流すための溝を提供する、その音声孔を具備している、請求の範囲第９項に記載された耳成型品。
【請求項１７】
耳管と、耳脚と、対耳珠とからなる使用者の外耳に装着するのに適した耳成型品であって、該耳成型品が２路通話システムに用いるための通話手段を保持するようになっている、その耳成型品において、さらに、
（ｇ）前記成型品に位置した耳管通気溝であって、該耳管通気溝が空気を前記第２側面から第１側面へ流すための溝を提供し、該耳管溝が使用者の耳の中で空気的なシールが形成されるのを防ぐようになっている、その耳管通気溝を具備している、請求の範囲第９項に記載された耳成型品。
【発明の詳細な説明】
発明の背景
発明の分野
本発明による耳成型品は２路通話手段と関連して用いられる装置の分野に関係しており、該装置は使用者の耳の開口部に装着される。本発明は特にそのユニークな形状のゆえに有用であり、高品質の音声伝達性能を維持しながら、改善された装着性、快適性、衛生性を提供する。本発明は２路通話システムにおけるマイクロホンとスピーカーの両者のための封入物と組み合わせて用いられ、また該封入物として用いられるようになっている。本発明は外耳の一般的な形状に形成され、各種の寸法、色彩にして生産される。
関連技術の説明
従来技術においては各種のタイプの耳成型品が製造され、主としてヒヤリング目的のために使用されている。既存の耳成型品は耳の中でのヒヤリングの安定性を提供するために、耳管の中へ深く、密接に挿入されるようになっている。このタイプの深く、かつ密接に挿入するものは、耳管に対して挿入物がこすれて痛みを生じることがあり、また耳管を密接する効果を有している。結果として、使用者はいらだちと不快さを経験することになり、特に長い連続的な時間、あるいは日数に亘って使用した後ではそうである。耳管を密接することは使用者にとっては危険なことである。音声の強さを減少させることによって、周辺の音声を聴くという人間の能力に影響を与えるであろう。音声を聞分けるという人間の能力も変化させるであろうし、特に聞分けのための主な刺激が相対的な聴取音声の圧力差となる高周波領域において変化させるであろう。
発明の要約
本発明の目的は耳の中に２路通話手段を保持するための耳成型品を提供することにある。本発明による耳成型品はスピーカーとマイクロホンの両者を収納し、高品質の音響伝達能力を発揮する。
本発明の目的は耳の穴において２路通話手段を固定的な方法で保持するための耳成型品を提供することにある。本発明による耳成型品は耳管の中へ深く挿入されないが、延在したらせん体を用いることによって、耳の穴に固定的取り付けることができる。
本発明の目的は耳の中で快適に２路通話手段を保持するための耳成型品を提供することにある。耳成型品を耳管の中よりも耳管の外側において固定することにより、また耳管の中へ深く挿入するのを防ぐことにより、使用者の快適性が大きく増加される。
本発明の目的は耳の中で２路通話手段を保持し、マイクロホンとスピーカーとの間の隔離性を改善することによってフィードバックを減少させる耳成型品を提供することにある。好ましい耳成型品の構造はこの設計を取り入れている。
本発明の目的は静電気の放電の危険性を大きく減少させ、耳の中に２路通話手段を保持するための耳成型品を提供することにある。本発明による耳成型品によって得られる電子部品と使用者の皮膚との隔離性によって、この危険性は減少される。
本発明の目的はスピーカーのレスポンスに対して低域フィルターを提供する、耳の中に２路通話手段を保持するための耳成型品を提供することにある。好ましくはスピーカーを配置することによって望みの低域フィルターを得られる。
本発明による耳成型品は、耳成型品の延在したらせん体を用いて、耳成型品を耳輪の耳脚の下方で適合させることによって、耳の穴に安定的に取り付けられる。従ってこの新しく発明された形状によると耳管の中へかなり浅く挿入することが必要であるだけで、従って耳管を密封することがなくなる。
本発明と従来技術との他の違いは、本発明による耳成型品が特に２路通話手段とともに用いられる設計になっているという点にある。該耳成型品はスピーカーとマイクロホンの両者を収納し、有用な２路通話手段を得るために、高品質的に音声を受け、伝達する設計になっている。
従来技術による耳成型品には見られない本発明による耳成型品の他の特徴は、本発明による耳成型品の輪郭が耳管の曲線に合致しているという点にある。耳管の曲線に合致させることにより、使用者の快適性は大きく増加する。
本発明による耳成型品と従来技術による耳成型品との他の相違点は、耳成型品の中にノッチを設けている点にある。該ノッチは対耳珠に対する解除手段を提供する。対耳珠に対する解除手段は、対耳珠における鼓膜の圧縮を防ぎ、関連する不快性を防止するために重要なことである。
さらに、本発明による耳成型品を用いると、耳管の閉塞が生じない。耳管の閉塞を防ぐことによって、周辺の音声を聴くという人間の能力は減少せず、音声を聞分けるという人間の能力も維持される。本発明においては、耳成型品に通気孔を設けることにより、閉塞を防いでいる。
本発明による耳成型品はまたその表面にマークを有しており、使用者が２路通話手段の正しい方向を得るための参考となっている。
本発明が従来技術を上廻る幾つかの利点を挙げると次のようになる。（１）耳の中への装置の挿入の深さが減少する。（２）重量が耳管の中よりも外側で支持されるので、快適性が増加する。（３）挿入が制限されるので衛生性が改善される。（４）耳管の中でシールを形成する可能性が大きく減少する。（５）大多数の人に装着するのに必要な耳成型品の寸法および形状の数が減少する。（６）２路通話手段における構成部品のようなヒヤリング損傷のない全般的な人々によって使用されるという設計上の特別な特徴がある。
【図面の簡単な説明】
図１ａは人間の耳に装着された、本発明による左の耳成型品の好的実施例を示す。
図１ｂは人間の耳に装着された、本発明による右の耳成型品の好的実施例を示す。
図２ａは本発明による左の耳成型品の好的実施例を示す。
図２ｂは本発明による右の耳成型品の好的実施例を示す。
図３はイヤホーンを組み込んだ左の耳成型品の好的実施例を示す。
図４ａは本発明の耳成型品の好的実施例の側面図である。
図４ｂは本発明の耳成型品の好的実施例の頂面図である。
図４ｃは本発明の耳成型品の好的実施例の頂面図である。
発明の詳細な説明
本発明は使用者の耳の穴に２路通話手段を保持する場合に用いるための耳成型品である。本発明の好的実施例は外耳の形状を有しており、外耳の中に適合するような寸法になっていて、ソフトプラスチック材料でできている。しかしながら、本発明は各種の他の可撓性材料から作ることができるが、ポリビニルやシリコンに限定されることもない。
本発明による耳成型品は、柔軟で、屈曲性のある、粗いエッヂあるいは鋭いエッヂの存在しないものである。それは外耳の内側で快適に装着されるように設計されている。該耳成型品は音響伝達装置を保持するために、その外側（第１側面）において凹所を有している。該耳成型品はまた、前記伝達装置の適正な方向を使用者に示すために用いられる整列マークを、その第１側面上に組み込んでいる。
好的実施例においては、音響伝達装置ではマイクロホンとスピーカーとからなっている。前記耳成型品もまた内側（第２側面）において２つの突起を有している。第１の突起は耳成型品を所定位置に保持するためのものである。この保持操作は、耳成型品を耳の中に挿入し、この第１突起が耳の耳輪の耳脚の下方に位置するように耳成型品を回転させることによって行われる。前記第２突起はスピーカーからの音声が使用者の耳管の中へ送るための手段を提供するためのものである。該第２突起は使用者の耳管の中へ非常に浅く（約４ｍｍ）挿入するたけでよいように設計されている。該第２突起はまた耳の中で空気的なシールが形成されるのを防ぐために耳管挿入通気孔を組み込んでいる。
図１ａは人間の耳の穴に挿入された左の耳成型品１０１の１つの好的実施例を示している。図からは耳成型品１０１が、少なくとも部分的に、突起あるいはらせん体１０３ａによって、耳の中の所定位置に保持されていることがわかる。又該耳成型品が、スピーカーとマイクロホンと回路とからなるイヤホーンを収納するためのソケット１０４ａを有していることもわかる。該耳成型品はまた耳管の中で空気的なシールが形成されるのを防ぐために、耳管への通気孔あるいはノッチ１０５ａを有している。該通気孔１０５ａはまた、使用者の外部環境から耳管へ音声を伝達することができる。
図１ｂは人間の耳の穴へ挿入された好ましい右の耳成型品１０２を示しており、これは図１ａの左の耳成型品１０１と全体的に同一である。該右の耳成型品１０２は耳の中に耳成型品を保持するための突起あるいはらせん体１０３ｂと、スピーカー、マイクロホン、および回路からなるイヤホーンを収納するためのソケット１０４ｂと、耳管の中で空気的なシールが形成されるのを防ぎ、使用者の外部環境から耳管へ音声を伝達するための耳管への通気孔あるいはノッチ１０５ａとを有している。図１ａおよび図１ｂからは耳成型品の形状、寸法が使用者の外耳の中へ合致、適合するように選択できることがわかる。
図２ａは前記左の耳成型品１０１の第１側面２０１を示している。該左の耳成型品１０１の底部２１１と対耳珠ノッチ２１２とが示されている。スピーカーとマイクロホンと関連回路とからなるイヤホーンを収納するためのキャビティーあるいはソケット２０３が設けられている。該ソケット２０３は耳成型品１０１の第１側面２０１のほぼ中心に位置し、耳成型品の第２側面は使用者の耳に近い方の側面である。本発明の好的実施例においては、前記キャビティー２０３はドーム型になっていて、該キャビティーの最も浅い部分は外側エッジにおいて０．１６０インチ（４．０６ｍｍ）深さになっており、該ドームの頂部はキャビティー２０３の中心においてさらに０．０７０インチ（１．７８ｍｍ）だけ深くなっている。好ましいキャビティー２０３は円形形状になっていて、直径が約０．５インチ（１２．７ｍｍ）である。
整列用のマーク２０５は、装着した時に下方向へ、かつ耳の前部に向かって延在することが示されている。該整列用マーク２０５の目的は、耳成型品の中における音響伝達装置の正しい方向を使用者に示すことにある。好的実施例においては、前記マーク２０５は耳成型品の第１側面の底部における盛り上がったリブによって位置決めされている。好ましい前記リブは巾が０．０６０インチ（１５．２ｍｍ）で、高さが０．０１５インチ（０．３８ｍｍ）である。
図においては、耳管と通気関係にあるノッチ２１５が示されている。該ノッチは耳管の中で空気的なシールが形成されるのを防ぐ。
耳成型品１０１の第１側面２０１にはラベル２０７ａ、２０７ｂが表示されており、それぞれ耳成型品の寸法（大型）と装着する方の耳（左耳）とを示している。
また、下部のローブ２２２とらせん体２２３とが示されている。耳成型品は、わずかでもよいから前記下部のローブと底部と対耳珠ノッチとによる接触の助けを借りて、前記らせん体と耳成型品の第２側面上における特徴との組み合わせによって耳の中の所定位置に保持される。
図２ｂの説明は右の耳成型品に関するものであって、図２ａの説明と同じである。図２ｂは前記右の耳成型品１０２の第１側面２０２を示している。該右の耳成型品１０２の底部２０９と対耳珠ノッチ２１０とが示されている。スピーカーとマイクロホンと関連回路とからなるイヤホーンを収納するためのキャビティーあるいはソケット２０４が設けられている。該ソケット２０４は耳成型品１０２の第１側面２０２のほぼ中心に位置し、耳成型品の第２側面は使用者の耳に近い方の側面である。本発明の好的実施例においては、前記キャビティー２０４はドーム型になっていて、該キャビティーの最も浅い部分は外側エッジにおいて０．１６０インチ（４．０６ｍｍ）深さになっており、該ドームの頂部はキャビティー２０４の中心においてさらに０．０７０インチ（１．７８ｍｍ）だけ深くなっている。好ましいキャビティー２０４は円形形状になっていて、直径が約０．５インチ（１２．７ｍｍ）である。
整列用のマーク２０６は、装着した時に下方向へ、かつ耳の前部に向かって延在することが示されている。該整列用マーク２０６の目的は、耳成型品の中における音響伝達装置の正しい方向を使用者に示すことにある。好的実施例においては、前記マーク２０６は耳成型品の第１側面の底部における盛り上がったリブによって位置決めされている。好ましい前記リブは巾が０．０６０インチ（１５．２ｍｍ）で、高さが０．０１５インチ（０．３８ｍｍ）である。
図においては、耳管と通気関係にあるノッチ２１６が示されている。該ノッチは耳管の中で空気的なシールが形成されるのを防ぐ。
また、下部のローブ２２０とらせん体２１１とが示されている。耳成型品は、わずかでもよいから前記下部のローブと底部と対耳珠ノッチとによる接触の助けを借りて、前記らせん体と耳成型品の第２側面上における特徴との組み合わせによって耳の中の所定位置に保持される。
耳成型品１０１の第１側面２０１にはラベル２０８ａ、２０８ｂが表示されており、それぞれ耳成型品の寸法（大型）と装着する方の耳（左耳）とを示している。
図３は音響伝達装置３０２を組み込んだ左の耳成型品３０１を示している。この例においては、該音響伝達装置は、カリフォルニア州サンディエゴのＪＡＢＲＡ社からＥａｒＰＨＯＮＥの商標で市販されている装置である。また、図３から明らかなように、その寸法は特定のイヤホーンのための寸法である。整列用のマーク３０３が示されており、イヤホーンのための出力コード３０４が示されている。耳管に対するノッチ３０５と、らせん体３０６と、下部ローブ３０７と、底部３０８と、対耳珠ノッチ３０９が示されている。
図４ａは１つの好ましい耳成型品の１つの側面を示している。耳成型品の第２側面４２０の基部からは、第２の突起４０１が、使用者の耳管の曲線に対して最も密接に合致するように、水平方向から約１１５度の角度をなして上方へ延在している。第２の突起４０１の挿入深さは、好的実施例においては、６．０ｍｍあるいはそれ以下に維持され、内耳管との物理的な接触を最少にしている。耳の中で空気的なシールが形成されるのを防ぐために、耳管挿入通気溝４０２が設けられている。好的実施例においては、この通気溝４０２は巾が０．０９０インチ（２．２９ｍｍ）で深さが０．０４５インチ（１．１４ｍｍ）であり、内側は曲線状のエッジになり、外側が通気部になっている。該通気溝４０２は耳成型品の第１側面から第２突起４０１の側面へ向かって上方へ延在し、第２突起４０１の端部から０．１０インチ（２．５４ｍｍ）ほどのところで終わっている。該第２突起４０１は角度のついた背部４０３であり、使用者の耳の外耳角とほぼ同じ程度の曲線状になっている。このアングル部４０３の目的は、耳とより密接に、より快適に適合させることにある。
図４ｂを参照すると、好ましい耳成型品の側面図が示されている。第１突起（らせん体）４０４が図４の頂面図に示されている。該第１突起４０４は外耳の耳輪のｃｒｕｘの下で快適に適合するように設計されている。第１突起４０４と第２突起４０１との間には谷間４０６が存在している。この谷間４０６の目的は、外耳の輪郭とより自然的に適合させ、使用者に快適感を得させることにある。また、外耳と密接に装着することができるように、第２側面の下部中心に外耳デハンプ（ｄｅｈｕｍｐ）４０７が設けられている。音声孔４０９が設けられており、第１側面におけるキャビティー２０３、２０４の一端から第２突起４０１の先端に向かって延在している。この孔４０９は音響伝達装置のスピーカー部分から音声を使用者の耳管へ伝達するための手段を提供するために用いられ、キャビティー２０３と使用者の耳管との間が自然に通気される。好的実施例においては、この孔４０９は直径が０．１０インチ（２．５４ｍｍ）であり、通気溝４０２のための部分を残しながら、第２突起４０１の中心にできるだけ近く接近している。孔４０９の中心は、音響伝達装置のキャビティー２０３、２０４のエッジから０．０９０インチ±０．０３０インチ（２．２９ｍｍ±０．７６ｍｍ）離れている。使用者の耳とよりよく適合するために、耳成型品の設計の中には対耳珠ノッチ４０８が含まれている。使用者の耳とよりよく適合するために、下部のローブ４３０の領域に肩部４１０が設けられている。また底部４３１が示されている。
図４ｃにおいては、好ましい耳成型品の前面図が示されている。第１突起４０１と、谷間４０６と、らせん体４０４と、肩部４１０と、下部ローブ４３０とが示されている。
本発明の他の実施例においては、耳成型品はイヤホーンのためのソケットを省略してもよく、このソケットは音響伝達装置のための取り付け手段と考えることができ、その代わりに音響伝達装置のための他の取り付け手段を用いればよい。例えば、前記耳成型品はその第１側面上にリングを設け、それに対して音響伝達装置をスナップ式に取り付けてもよい。他の手段であっても同様に可能である。
本発明のさらに他の実施例においては、耳成型品は耳管内に（余り深くなく）挿入される第２突起を有していない。第２突起を省略することができ、耳に固定取り付けする手段も得ることができる。音声孔が望ましいであろう。
本発明についてその好的実施例と関連させながら説明してきたが、当業界はここで説明し、記載し、特許請求したような本発明の原理から逸脱することなしに変更、修正が可能であることを認識しているであろう。
本発明はその精神あるいは本質的な特性から逸脱することなしに、他の特別な形態として具現化することができる。記載した実施例は全ての観点において単に例示的なものであり、限定的なものではないと考えられる。従って本発明の範囲は今までの記載内容よりも添付した特許請求の範囲によって示されている。請求の範囲と等価の意味と範囲の中における全ての変更は、それらの範囲の中に入るものである。
【図１ａ】
0003827722.tif 000002
【図１ｂ】
0003827722.tif 000003
【図２ａ】
0003827722.tif 000004
【図２ｂ】
0003827722.tif 000005
【図３】
0003827722.tif 000006
【図４ａ】
0003827722.tif 000007
【図４ｂ】
0003827722.tif 000008
【図４ｃ】
0003827722.tif 000009